(57)【要約】【課題】防火用エンクロージャーを設けても、小型化を維持することができると共に、コストが嵩むことのない電子機器を提供する。【解決手段】電源基板３２に実装された電源回路４１と、電源回路４１の要防火エリア４５を覆う防火用エンクロージャーＥと、を有するテープ印刷装置１であって、防火用エンクロージャーＥは、電源基板３２の一方の面側から被防火エリア４５を覆う第１エンクロージャーＥ１と、電源基板３２の他方の面側から被防火エリア４５を覆う第２エンクロージャーＥ２と、を備え、第１エンクロージャーＥ１は、電源基板３２とメイン基板３４との間に介設したスペーサー３３で構成され、第２エンクロージャーＥ２は、電池収容部３１の底壁部５７で構成されている。【選択図】  図４
2016149422.tif 000002
【特許請求の範囲】
【請求項１】
第１基板に実装された電源回路と、前記電源回路の被防火エリアを覆う防火用エンクロージャーと、を有する電子機器であって、
前記防火用エンクロージャーは、
前記第１基板の一方の面側から前記被防火エリアを覆う第１エンクロージャーと、
前記第１基板の他方の面側から前記被防火エリアを覆う第２エンクロージャーと、を備え、
前記第１エンクロージャーは、前記第１基板と当該第１基板に重なる第２基板との間に介設したスペーサーの、少なくとも一部で構成されていることを特徴とする電子機器。
【請求項２】
前記第２エンクロージャーは、電池を収容する電池収容部における底壁部の、少なくとも一部で構成されていることを特徴とする請求項１に記載の電子機器。
【請求項３】
前記第１エンクロージャーは、前記被防火エリアを囲むと共に前記第１基板の一方の面に接する第１突出部を有し、
前記第２エンクロージャーは、前記被防火エリアを囲むと共に前記第１基板の他方の面に接する第２突出部を有することを特徴とする請求項２に記載の電子機器。
【請求項４】
前記電池収容部は、前記第１基板を抱え込むように係止する一対のフック部を有していることを特徴とする請求項２または請求項３に記載の電子機器。
【請求項５】
前記第１エンクロージャーおよび前記第２エンクロージャーは、難燃性の樹脂を含むことを特徴とする請求項１ないし請求項４のいずれか一項に記載の電子機器。
【請求項６】
印刷テープに印刷を行う印刷部を、更に備え、
手持ちして操作されることを特徴とする請求項１ないし請求項５のいずれか一項に記載の電子機器。
【発明の詳細な説明】
【技術分野】
【０００１】
本発明は、電源回路の非ＬＰＳ範囲（要防火エリア）を覆う防火用エンクロージャーを有する電子機器に関する。
【背景技術】
【０００２】
従来、この種の電子機器として、回路基板ユニットを有するプリンターが知られている（特許文献１参照）。
回路基板ユニットは、表面に複数の回路素子が実装された回路基板と、回路基板を挟むように配設した防火エンクロージャーとしての表裏２枚の金属板（アルミニウム）と、を備えている。裏側の金属板には係合部が形成され、回路基板には係合部に係合する位置決め用の孔が形成されている。回路基板と２枚の金属板とは、複数のネジにより位置決め状態で相互に固定されている。また、回路基板と２枚の金属板とは、複数のネジにより共締め状態でプリンターのメカフレームに固定されている。
【先行技術文献】
【特許文献】
【０００３】
【特許文献１】特開２００４−１０３９０７号公報
【発明の概要】
【発明が解決しようとする課題】
【０００４】
ところで、ＬＰＳ（Limited Power Source）を搭載しない二次電池を電源として用いる電子機器では、電源回路における高電圧の電流が流れる部分（非ＬＰＳ範囲：被防火エリア）をエンクロージャーで覆って、安全基準を満たす必要がある。
上記従来の回路基板ユニットでは、防火エンクロージャーを構成する２枚の金属板が専用部品であるため、金属板用のスペースを必要とする。このため、装置（プリンター）が大型化すると共に、コストが嵩む問題があった。
【０００５】
本発明は、防火用エンクロージャーを設けても、小型化を維持できると共にコストが嵩むことのない電子機器を提供することを課題としている。
【課題を解決するための手段】
【０００６】
本発明の電子機器は、第１基板に実装された電源回路と、電源回路の被防火エリアを覆う防火用エンクロージャーと、を有する電子機器であって、防火用エンクロージャーは、第１基板の一方の面側から被防火エリアを覆う第１エンクロージャーと、第１基板の他方の面側から被防火エリアを覆う第２エンクロージャーと、を備え、第１エンクロージャーは、第１基板と第１基板に重なる第２基板との間に介設したスペーサーの、少なくとも一部で構成されていることを特徴とする。
【０００７】
この場合、第２エンクロージャーは、電池を収容する電池収容部における底壁部の、少なくとも一部で構成されていることが好ましい。
【０００８】
これらの構成によれば、第１エンクロージャーを、第１基板と第２基板との間に介設したスペーサーと兼用することができる。また、第２エンクロージャーを、電池収容部の底壁部と兼用することができる。すなわち、防火用エンクロージャーを他の構成部品と兼用することができる。したがって、防火用エンクロージャーを設けても、小型化を維持することができると共にコストが嵩むことがない。
【０００９】
この場合、第１エンクロージャーは、被防火エリアを囲むと共に第１基板の一方の面に接する第１突出部を有し、第２エンクロージャーは、被防火エリアを囲むと共に第１基板の他方の面に接する第２突出部を有することが好ましい。
【００１０】
この構成によれば、第１エンクロージャーおよび第２エンクロージャーと、第１基板との間に、大きな間隙が生ずることがない。このため、被防火エリアにおける電子部品の配置等に制限を受けることがなく、電子部品を集約的に配置することができ、被防火エリア（非ＬＰＳ範囲）を可能な限り狭くすることができる。
【００１１】
また、電池収容部は、第１基板を抱え込むように係止する一対のフック部を有していることが好ましい。
【００１２】
この構成によれば、フック部により電池収容部（第２エンクロージャー）と第１基板が一体化すると共に、スペーサー（第１エンクロージャー）を介して第１基板と第２基板とが一体化する。したがって、電池収容部（第２エンクロージャー）、第１基板、スペーサー（第１エンクロージャー）および第２基板をユニット化（アッセンブリー化）することができる。またこの状態で、これら構成部品を、装置ケースや装置フレームに組み込むことができる。
【００１３】
さらに、第１エンクロージャーおよび第２エンクロージャーは、難燃性の樹脂を含むことが好ましい。
【００１４】
この構成によれば、被防火エリア（非ＬＰＳ範囲））に合わせて、第１エンクロージャーおよび第２エンクロージャーを簡単に形成（成形）することができる。また、第１エンクロージャー（スペーサー）は、断熱材として機能し、第２基板の第１基板からの熱を遮蔽することができる。
【００１５】
また、印刷テープに印刷を行う印刷部を、更に備え、手持ちして操作されることが好ましい。
【００１６】
この構成によれば、電源に二次電池を使用する関係で防火用エンクロージャーを設けても、小型化を維持することができると共にコストが嵩むことのない。特に小型化は、手持ち操作に有用となる。
【図面の簡単な説明】
【００１７】
【図１】実施形態に係るテープ印刷装置を斜め上方から見た外観斜視図である。
【図２】実施形態に係るテープ印刷装置を斜め下方から見た外観斜視図である。
【図３】実施形態に係るテープ印刷装置の長手方向の断面図である。
【図４】電源部アッセンブリーを斜め上方から見た斜視図（ａ）、およびその分解斜視図（ｂ）である。
【図５】電源部アッセンブリーを前後反転し斜め下方から見た斜視図（ａ）、およびその分解斜視図（ｂ）である。
【発明を実施するための形態】
【００１８】
以下、添付の図面を参照して、本発明の一実施形態に係る電子機器をテープ印刷装置に適用した場合について説明する。このテープ印刷装置は、例えば端子台におけるケーブルの系統を表示するためのラベルを作成するものであり、作業現場において手持ちして操作できるように小型縦長に形成されている。テープ印刷装置には、印刷テープを搭載したテープカートリッジが着脱自在に装着され、テープ印刷装置は、テープカートリッジから印刷テープを繰り出しながら印刷を行うと共に、印刷テープの印刷済み部分を切り離してラベルを作成する。
【００１９】
［テープ印刷装置の全体構成］
図１は、テープ印刷装置を斜め上方から見た外観斜視図、図２は、テープ印刷装置を斜め下方から見た外観斜視図、図３は、テープ印刷装置の長手方向の断面図である。これらの図に示すように、テープ印刷装置１は、厚肉幅広に形成された先端側の主機構部２と、主機構部２の基端側に連なり、主機構部２より薄肉幅狭に形成されたハンドリング部３と、ハンドリング部３の基端側に連なる持ち手部４と、で縦長に且つ一体に形成されている。縦長に形成されたテープ印刷装置１は、ハンドリング部３で、片手或いは両手で手持ちされ操作される。また、テープ印刷装置１は、持ち手部４を利用して持ち運びされる。
【００２０】
主機構部２の表側には、ディスプレイ部７が広く設けられると共に、ディスプレイ部７に隣接して副キーボード部８が設けられている。また、主機構部２には、テープカートリッジ９を着脱自在に装着するためのカートリッジ装着部１０が、窪入形成されると共に、カートリッジ装着部１０を開閉する開閉蓋１１が設けられている（図３参照）。本実施形態のものは、ディスプレイ部７および副キーボード部８が、この開閉蓋１１の表側に設けられている。また、カートリッジ装着部１０廻りには、テープカートリッジ９から印刷テープ１２を繰り出すと共にこれに印刷を行う印刷部１３が内蔵されている（図３参照）。
【００２１】
主機構部２の左側面には、印刷部１３により、印刷テープ１２の印刷済み部分が排出されるテープ排出口１５が設けられている。また、テープ排出口１５とカートリッジ装着部１０との間には、印刷テープ１２の印刷済み部分を切り離すカッター１６が内蔵されている（図１参照）。さらに、テープ排出口１５の近傍には、カートリッジ装着部１０に装着したテープカートリッジ９を視認するための、覗き窓１７が設けられている。一方、主機構部２の右側面には、電源コネクター１８が設けられている（図２参照）。
【００２２】
ハンドリング部３の表側には、文字キー２２やカーソルキー２３等を配置した主キーボード部２１が設けられている（図１参照）。また、ハンドリング部３には、電池収容部３１を含む電源部アッセンブリー２５内蔵され、ハンドリング部３の裏面には、電池収容部３１を開閉する電池蓋２７が設けられている。さらに、ハンドリング部３の右側面には、ＵＳＢコネクター２８が設けられている（図２参照）。
【００２３】
［電源部アッセンブリー］
次に、図４および図５を参照して、電源部アッセンブリー２５について説明する。図４と図５とは、電源部アッセンブリー２５を相互に逆側から見た斜視図（分解斜視図）である。なお、電源部アッセンブリー２５の説明では、図４および図５に倣って図面上の上側を「上」とし、下側を「下」とする。また、図３に倣って図面上の右側を「右」、左側を「左」、手前側を「正面」、奥側を「背面」とする（図５では、これと逆になる）。
【００２４】
図４および図５に示すように、電源部アッセンブリー２５は、最上位に配設された電池収容部３１と、電池収容部３１の下側に配設された電源基板３２（第１基板）と、電源基板３２の下側に配設されたスペーサー３３と、スペーサー３３の下側に配設されたメイン基板３４（第２基板）と、を備えている。電池収容部３１、電源基板３２、スペーサー３３およびメイン基板３４は、ねじ等により一体化（アッセンブリー化）され、この状態で、電池収容部３１に形成した４箇所の取付けボス部３６により、装置ケース５にねじ止めされている（図２および図４参照）。
【００２５】
電源基板３２には、電源系の電子部品４２やコネクター４３を含む電源回路４１が実装されている。電源回路４１における高電圧の電流が流れる部分には、物理的な防火対策を要する被防火エリア４５が設定されている。被防火エリア４５は、いわゆる非ＬＰＳ範囲であり、本実施形態の被防火エリア４５は、平面内において変形「Ｔ」字状に、高さ方向（上下方向）において電子部品４２等に合わせた凹凸形状に、形成されている。
【００２６】
本実施形態では、この被防火エリア４５を上下（表裏）両面から覆う防火用エンクロージャーＥが設けられており、防火用エンクロージャーＥは、電源基板３２の下側に配設した第１エンクロージャーＥ１と、電源基板３２の上側に配設した第２エンクロージャーＥ２と、を有している。そして、第１エンクロージャーＥ１は、スペーサー３３により構成され、第２エンクロージャーＥ２は、電池収容部３１により構成されている（詳細は後述する）。すなわち、スペーサー３３が、第１エンクロージャーＥ１を兼ね、電池収容部３１が第２エンクロージャーＥ２を兼ねており、スペーサー３３および電池収容部３１は、難燃性の樹脂（合成樹脂）で形成されている。
【００２７】
電池収容部３１は、充電池と乾電池とが択一的に装着可能に構成されている。電池収容部３１は、上面および正面が開放された本体収容部５１と、本体収容部５１の背面側を覆う背面カバー部５２と、を有している（図３参照）。本体収容部５１には、充電池または乾電池が着脱自在に収容され、背面カバー部５２には、充電池の装着を検出する検出スイッチ５３が配設されている。
【００２８】
本体収容部５１は、一対の側壁６１と底壁６２と部分奥壁６３とを有し、背面カバー部５２は、奥壁６４と奥底壁６５と部分側壁６６を有している（図５（ｂ）参照）。そして、本体収容部５１の一対の側壁６１と背面カバー部５２の部分側壁６６とにより、電池収容部３１の一対の側壁部５５が構成されている。同様に、本体収容部５１の部分奥壁６３と背面カバー部５２の奥壁６４とにより、電池収容部３１の奥壁部５６が構成されている。また、本体収容部５１の底壁６２と背面カバー部５２の奥底壁６５とにより、その一部が第２エンクロージャーＥ２を構成する電池収容部３１の底壁部５７が構成されている（図４（ｂ）および図５（ｂ）参照）。
【００２９】
底壁部５７は、電池収容部３１の底板となる底壁本体７１と、底壁本体７１から下方に突出する底壁突出部７２（第２突出部）とで形成されている。底壁突出部７２は、下方から見て変形「Ｔ」字状に形成され、この底壁突出部７２と、底壁突出部７２で囲まれた凹部位を含む底壁本体７１の一部により、電源基板３２の上側に位置する第２エンクロージャーＥ２が構成されている。すなわち、電池収容部３１に電源基板３２を組み込んだ状態では、底壁突出部７２の下端が電源基板３２の上面に当接し、第２エンクロージャーＥ２を構成する電池収容部３１の底壁部５７により、被防火エリア４５が覆われている。
【００３０】
また、電池収容部３１の一対の側壁部５５には、一対のフック部７４が一体に形成されている。各フック部７４は、側壁部５５の下部外側から下方に延在しており、一対のフック部７４は、電源基板３２を左右両側から抱え込むように係止する。詳細は後述するが、電源基板３２は、上側からスペーサー３３に固定され、メイン基板３４は、下側からスペーサー３３に固定されている。したがって、一対のフック部７４により、電池収容部３１に電源基板３２が係止され、電池収容部３１、電源基板３２、スペーサー３３およびメイン基板３４が一体化（アッセンブリー化）されている。
【００３１】
スペーサー３３は、四隅に位置する４つのスペーサーボス部８１と、４つのスペーサーボス部８１を連結する本体スペーサー部８２と、で一体に形成（成形）されている。４つのスペーサーボス部８１のうち、３つのスペーサーボス部８１には、上側から電源基板３２が、下側からメイン基板３４がそれぞれビス止めされている。また、残りの１つのスペーサーボス部８１には、上側から電源基板３２がビス止めされている。
【００３２】
本体スペーサー部８２の上面には、上方から見て変形「Ｔ」字状のスペーサー突出部８４（第１突出部）が形成されている。そして、このスペーサー突出部８４と、スペーサー突出部８４で囲まれた凹部位を含む本体スペーサー部８２の一部により、電源基板３２の下側に位置する第１エンクロージャーＥ１が構成されている。すなわち、スペーサー３３に電源基板３２を組み込んだ状態では、スペーサー突出部８４の上端が電源基板３２の下面に当接し、第１エンクロージャーＥ１を構成するスペーサー３３により、被防火エリア４５が覆われている。
【００３３】
なお、本体スペーサー部８２の上面には、一対の位置決め突起８６が形成されている。一対の位置決め突起８６は、電源基板３２の一対の位置決め孔９７に挿通し、スペーサー３３に対し、電源基板３２が位置決めされる。同様に本体スペーサー部８２の下面には、一対の位置決め突起８６が形成されている。一対の位置決め突起８６は、後述するメイン基板３４の一対の位置決め孔９７に挿通し、スペーサー３３に対し、メイン基板３４が位置決めされる。
【００３４】
電源基板３２には、両側端部に左右一対のフック受け部９１が形成されている。各フック受け部９１は、上記電池収容部３１のフック部７４の形状（断面形状）に合わせて「コ」字状に形成されている。これにより、電源基板３２の一対のフック受け部９１に電池収容部３１のフック部７４が係止されると、電池収容部３１の底壁突出部７２が電源基板３２に当接して、電源基板３２が上下方向において位置決めされる。また、フック部７４が、「コ」字状のフック受け部９１に係合することで、電源基板３２が左右方向および奥行方向に位置決めされる。
【００３５】
一方、電源基板３２の４つの隅部には、電源基板３２をスペーサー３３にピス止めするための、４つの第１バカ孔９２が形成されている。電源基板３２をスペーサー３３にピス止めするための４本の上固定ビス９３は、例えばタッピングビス等で構成されている。
【００３６】
同様に、メイン基板３４の３つの隅部には、メイン基板３４をスペーサー３３にピス止めするための、３つの第２バカ孔９５が形成されている。この場合も、メイン基板３４をスペーサー３３にピス止めするための３本の下固定ビス９６は、例えばタッピングビス等で構成されている。
【００３７】
［作用・効果］
以上のように、本実施形態によれば、電源基板３２の被防火エリア４５を、難燃性の樹脂で構成されたスペーサー３３と電池収容部３１の底壁部５７で覆うようにしている。すなわち。被防火エリア４５（非ＬＰＳ範囲）を覆う防火用エンクロージャーＥを、第１エンクロージャーＥ１であるスペーサー３３と、第２エンクロージャーＥ２である電池収容部３１の底壁部５７とで構成するようにしている。これにより、第１エンクロージャーＥ１および第２エンクロージャーＥ２を兼用部品とすることができる。したがって、防火用エンクロージャーＥを搭載しても、テープ印刷装置１の大型化およびコストアップを抑制することができる。
【００３８】
しかも、電池収容部３１の底壁突出部７２と、スペーサー３３のスペーサー突出部８４とにより、ほぼ隙間なく被防火エリア４５（非ＬＰＳ範囲）を覆うことができるため、被防火エリア４５における電子部品４２の配置等に制限を受けることがなく、この電子部品４２等を集約的に配置することができる。
【００３９】
なお、本実施形態では、電池収容部３１を本体収容部５１と背面カバー部５２で構成したが、これを一体に形成することも可能である。
【符号の説明】
【００４０】
１  テープ印刷装置、１３  印刷部、２５  電源部アッセンブリー、３１  電池収容部、３２  電源基板、３３  スペーサー、３４  メイン基板、４１  電源回路、４５  被防火エリア、５１  本体収容部、５２  背面カバー部、５５  側壁部、５７  底壁部、７１  底壁本体、７２  底壁突出部、７４  フック部、８２  本体スペーサー部、８４  スペーサー突出部、９１  フック受け部、Ｅ  防火用エンクロージャー、Ｅ１  第１エンクロージャー、Ｅ２  第２エンクロージャー
【図１】
2016149422.tif 000003
【図２】
2016149422.tif 000004
【図３】
2016149422.tif 000005
【図４】
2016149422.tif 000006
【図５】
2016149422.tif 000007